(57)【要約】【課題】レンズ枠とホルダとの双方に螺合するネジ部をそれぞれ設けたとしても、組立後の焦点調整中にネジ部の摺動により発生するゴミがセンサ側に入り込むことのないレンズ組立体およびそのレンズ組立体を備えた撮影装置を提供する。【解決手段】レンズ枠１１をホルダ１０のセンサ１２側の端面の開口から挿入するようにする。レンズ枠１１の雄ネジ部１１１の外形よりも出射側の部分の外形を太くして、レンズ枠１１を螺進又は螺退させることにより焦点調節を行なっている最中にネジ部の摺動によりゴミが発生したとしてもそのゴミがセンサ１２側に入らないようにする。【選択図】        図５
2008216707.tif 000002
【特許請求の範囲】
【請求項１】
前端面と後端面に開口を有し、これら両開口をつなぐ貫通した中空を有するホルダと、
前記後端面の開口を塞いで配置され前記前端面の開口を通って入射してきた被写体光を受光して画像信号を生成するセンサと、
被写体光を前記センサ上に結像する撮像レンズと、
前記撮像レンズを取り巻いて該撮像レンズを保持するレンズ枠とを備え、
前記レンズ枠が、該レンズ枠外周面に形成された、前記ホルダの中空内壁にネジ込まれる雄ネジ部と、該レンズ枠外周面の、前記雄ネジ部よりも出射側に形成された、前記ホルダの中空内壁に接触又は近接する円筒外壁部とを有し、
前記ホルダが、前記内壁に、前記雄ネジ部がネジ込まれる雌ネジ部と、前記円筒外壁部と接触又は近接する円筒内壁部とを有することを特徴とするレンズ組立体。
【請求項２】
前記円筒外壁部が、前記雄ネジ部の溝底よりも太径に形成され、
前記ホルダは、前記レンズ枠を、前記センサ組立体に、前記後端面の開口から受け入れるものであることを特徴とする請求項１記載のレンズ組立体。
【請求項３】
請求項１記載のレンズ組立体と撮像素子とを備えたことを特徴とする撮影装置。
【発明の詳細な説明】
【技術分野】
【０００１】
本発明は、センサ上に被写体光を結像する撮像レンズが内部に組み込まれるレンズ組立体およびそのレンズ組立体を備えた撮影装置に関する。
【背景技術】
【０００２】
従来より、撮像素子等のセンサに被写体光を結像させるための撮像レンズが内部に組み込まれたレンズ組立体が知られている。このようなレンズ組立体の中には、レンズ枠とホルダとに、それぞれ、精密に螺合する雄ネジと雌ネジとを設けてホルダとレンズ枠との係合部の構造を簡素化して小型化を図るとともに、レンズ枠をホルダに螺入していくことによって光軸あわせを簡単に行なうことができるようにしたものがある。このようなレンズ組立体においては超小型化を図ることが可能なので益々の小型薄型化が図られている携帯機器への搭載が期待されるとともに、精密ネジの螺合によりホルダに防塵構造を持たせることができるので車外に設置される車載用カメラなどへの応用が期待される。
【０００３】
図１は、そのレンズ組立体の構成を示す図である。
【０００４】
図１に示すレンズ組立体２は、ホルダ２０と、撮像レンズ２１０が内蔵されたレンズ枠２１とそのレンズ枠２１内の撮像レンズ２１０で捉えた被写体光を結像させる撮像素子２２Ａとが備えられている。その撮像素子２２Ａの上方には撮像素子２２Ａを保護するためのカバーガラス２２Ｂが配備されている。レンズ枠２１には雄ネジ部２１１が設けられ、ホルダ２０にはその雄ネジ部２１１に螺合する雌ネジ部２０１が設けられている。この例では、カバーガラス２２Ｂが撮像素子２２Ａとともにもう一つのホルダ２２Ｃに保持される構成になっているので、もう一つのホルダ２２Ｃとそのホルダ２２Ｃに保持されるカバーガラス２２Ｂを、センサを構成する部材として捉えて撮像素子２２Ａとカバーガラス２２Ｂとホルダ２２Ｃとを含めてセンサ２２ということにする。
【０００５】
このような構成を持つレンズ組立体２が組み立られるときには、まずセンサ２２がホルダ２０の後端面を塞ぐようにして組み込まれた後、ホルダ２０の前端面つまりセンサ２２がある側とは反対の側からレンズ枠２１が螺入され、レンズ枠２１の雄ネジ部２１１がホルダ２０の雌ネジ部２０１にねじ込まれていくことによってレンズ組立体２の組立が簡単に行なわれる。
【０００６】
さらに、組立が終了した後においてはレンズ枠２１を光軸方向に螺進又は螺退させることにより焦点調節が簡単かつ精度良く行なわれる。
【０００７】
しかしながら、上記構成であると、レンズ枠２１を光軸に対して螺進、螺退させることにより焦点調整を行なっている最中に雄ネジ部２１１と雌ネジ部２０１との摺動によりゴミが発生し発生したゴミがセンサ２２側に落ちてしまうことがある。センサ２２側に落ちてセンサ２２を構成するカバーガラス２２Ｂにコミが付着すると、ゴミが遮光部材となって働いてしまってセンサ２２を構成する撮像素子２２Ａに結像させた画像に悪影響が及ぼされてしまう。
【０００８】
特許文献１には、ホルダの外周にネジを設けることにより、ホルダ内部へのゴミの侵入を阻止する技術が提案されているが、その技術を適用するとホルダが大型化してしまう。
【特許文献１】特開２００６−３３８０２６号公報
【発明の開示】
【発明が解決しようとする課題】
【０００９】
本発明は、上記問題点を解決し、レンズ枠の外周面とホルダの内周面に螺合するネジ部をそれぞれ設けたとしても、組立後の焦点調整においてネジ部の摺動により発生するゴミがセンサ側に入り込むことのない小型のレンズ組立体、およびそのレンズ組立体を備えた撮影装置を提供することを目的とするものである。
【課題を解決するための手段】
【００１０】
上記目的を達成する本発明のレンズ組立体は、前端面と後端面に開口を有し、これら両開口をつなぐ貫通した中空を有するホルダと、  
上記後端面の開口を塞いで配置され上記前端面の開口を通って入射してきた被写体光を受光して画像信号を生成するセンサと、
被写体光を上記センサ上に結像する撮像レンズと、
上記撮像レンズを取り巻いてその撮像レンズを保持するレンズ枠とを備え、
上記レンズ枠が、そのレンズ枠外周面に形成された、上記ホルダの中空内壁にネジ込まれる雄ネジ部と、そのレンズ枠外周面の、上記雄ネジ部よりも出射側に形成された、上記ホルダの中空内壁に接触又は近接する円筒外壁部とを有し、
上記ホルダが、上記内壁に、上記雄ネジ部がネジ込まれる雌ネジ部と、上記円筒外壁部と接触又は近接する円筒内壁部とを有することを特徴とする。
【００１１】
上記本発明のレンズ組立体によれば、上記レンズ枠が、上記ホルダの雌ネジ部に螺合する雄ネジ部を備えるとともに、その雄ネジ部よりも出射側に形成された、上記ホルダの中空内壁に接触又は近接する円筒外壁部を備えることになる。
【００１２】
上記レンズ枠の円筒外壁部が、上記ホルダの中空内壁に接触又は近接する構成であると、円筒外壁部と中空内壁とでセンサ側へのゴミの進入経路を断つか又は極細にすることができ、たとえ雄ネジ部を雌ネジ部に螺合させレンズ枠をセンサに対して進退させることにより焦点調節を行ったとしても、雄ネジと雌ネジとの摺動により発生したゴミがセンサ側に落ち難くなる。
【００１３】
ここで、上記円筒外壁部が、上記雄ネジ部の溝底よりも太径に形成され、
上記ホルダは、上記レンズ枠を、上記センサ組立体に、上記後端面の開口から受け入れるものであることが好ましい。
【００１４】
上記構成であると、従来のようにホルダの前端面つまり被写体側からレンズ枠を装着してレンズ枠を螺進させていくことによりホルダに装着するのではなく、ホルダの後端面の開口つまりセンサ側からレンズ枠を挿入して螺進させていくことによりホルダに装着することになる。
【００１５】
こうして後端面の開口からレンズ枠を挿入する構成にすると、レンズ枠の雄ネジ部よりも出射側に形成された、上記円筒外壁部の径を、雄ネジ部の溝底よりも太径にすることができるので、ネジ部で発生したゴミをその円筒外壁部の、太径になっているところで受け止めることができ、センサ側にゴミが侵入することが完全に阻止される。
【００１６】
また上記目的を達成する本発明の撮影装置は、本発明のレンズ組立体と撮像素子とを備えたことを特徴とする。
【００１７】
そうすると、本発明の小型のレンズ組立体を撮影装置に組み込むことで撮影装置の小型化を図ることが可能となる。
【発明の効果】
【００１８】
以上、説明したように、レンズ枠とホルダとの双方に螺合するネジ部をそれぞれ設けたとしても、組立後の焦点調整においてネジ部の摺動により発生するゴミがセンサ側に入り込むことのない小型のレンズ組立体およびそのレンズ組立体を備えた撮影装置が実現する。
【発明を実施するための最良の形態】
【００１９】
以下図面を参照して本発明の実施の形態を説明する。
【００２０】
図２は、本発明のレンズ組立体１と撮像素子が組み込まれた撮影装置の一例であるカメラ付き携帯電話機３の外観を示す図である。図２に示すカメラ付き携帯電話機３のレンズ１１０のところに本発明のレンズ組立体が用いられている。
【００２１】
図３は本発明の一実施形態であるレンズ組立体１を示す図である。図４は、図３のレンズ組立体１の分解図であり、図５は、図４の分解図中のレンズ枠１０とホルダ１１とセンサ１２とを図４の左斜め前方から見た側面図である。
【００２２】
図３〜図５を参照して構成を簡単に説明する。
【００２３】
図３に示すレンズ組立体１のホルダ１０内には４群構成のレンズ１１０が収容されている。この図３の例では従来と同様に小型化を達成するためと組立を簡便にするためとの双方の理由で、レンズ枠１１に雄ネジ部１１１を設けホルダ１０にその雄ネジ部１１１に螺合する雌ネジ部１０１を設けて、レンズ枠１１をホルダ１０にねじこむことによりレンズ組立体１を組み立ることができるようにしている。
【００２４】
図４、図５に示す様に、ホルダ１０は、前端面１０Ａと後端面１０Ｂに開口を有し、これら両開口をつなぐ貫通した中空を有するものである。図４、図５に示す様に、そのホルダ１０の中空部に、４群構成のレンズを保持するレンズ枠１１がねじ込まれる。さらにそのホルダ１０とは反対の側には、ホルダ１２Ａが備えられており、そのもう一つのホルダ１２Ａの内部に前述したカバーガラス１２Ｂと撮像素子１２Ｃが保持されるようになっている。つまり、このホルダ１２Ａとカバーガラス１２Ｂと撮像素子１２Ｃとで本発明にいうセンサ１２の一例が構成される。
【００２５】
このセンサ１２が、ホルダ１０の後端面の開口を塞いで配置され、ホルダ１０の前端面の開口を通って入射してきた被写体光がそのセンサ１２内の撮像素子１２Ｃにより受光され、その撮像素子１２Ｃで画像信号が生成される。
【００２６】
ここで、図４、図５を参照してレンズ組立体１の構成を詳細に説明する。
【００２７】
図４、図５に示す様にレンズ組立体１には、センサ１２を構成する撮像素子１２Ｃ上に被写体光を結像する撮像レンズ１１０を取り巻いてその撮像レンズ１１０を保持するレンズ枠１１が備えられている。そのレンズ枠１１のレンズ枠外周面には、ホルダ１０の中空内壁にネジ込まれる雄ネジ部１１１が形成されており、そのレンズ枠外周面の、雄ネジ部１１１よりも出射側には、ホルダ１０の中空内壁に接触又は近接する円筒外壁部１１２が形成されている。
【００２８】
一方、ホルダ１０には、内壁に、上記雄ネジ部１１１がネジ込まれる雌ネジ部１０１が設けられており、また上記円筒外壁部１１２が接触又は近接する円筒内壁部１０２が設けられている。
【００２９】
上記レンズ枠１１の円筒外壁部１１２は、雄ネジ部１１１の溝底よりも太径に形成されており、ホルダ１０は、図４、図５に示す様にレンズ枠１１を、ホルダ１０の後端面の開口から受け入れるものである。
【００３０】
図６を参照して作用を分かり易く説明する。
【００３１】
図６は、図４のホルダ１０を左斜め上方から見た図と、その図を図中のＤ−Ｄ線で切断し切断した面を側方から見た図である。
【００３２】
図６からも分かる様に、レンズ枠１１のレンズ枠外周面には、ホルダ１０の中空内壁にネジ込まれる雄ネジ部１１１が形成されており、そのレンズ枠外周面の、雄ネジ部１１１よりも出射側には、ホルダ１０の中空内壁１０２に接触又は近接する円筒外壁部１１２が設けられている。一方、ホルダ１０には、内壁に、上記雄ネジ部１１１がネジ込まれる雌ネジ部１０１が設けられており、また上記円筒外壁部１１２が接触又は近接する円筒内壁部１０２が設けられている。
【００３３】
さらに、レンズ枠１１の円筒外壁部１１２は、雄ネジ部１１１の溝底よりも太径に形成されており、ホルダ１０は、レンズ枠１１をホルダ１０の後端面の開口から受け入れるものである。
【００３４】
つまり、従来においては、ホルダ１０の前端面側つまり被写体側からレンズ枠１１を挿入していたが、本発明においては、ホルダ１０の後端面側からレンズ枠１１を挿入するようにして、レンズ枠１１の円筒外壁部１１２の径を雄ネジ部１１１の溝底の径よりも大きくすることができるようにしている。
【００３５】
このように雄ネジ部１１１の径よりも大きい円筒外壁部１１２を構成することができると、レンズ枠１１を螺進又は螺退させることにより焦点調節を行なっているときにネジ部の摺動によりゴミが発生したとしても、その円筒外壁部１１２のところでゴミを受け止めることができるようになり、レンズの出射側に位置するセンサ側へのゴミの侵入が防止される。
【００３６】
以上説明した様に、レンズ枠とホルダとの双方に螺合するネジ部をそれぞれ設けたとしても、組立後の焦点調整においてネジ部の摺動により発生するゴミがセンサ側に入り込むことのないレンズ組立体が実現する。
【００３７】
このようなレンズ組立体が実現すると、益々の小型薄型化が図られている携帯機器への搭載が可能となり、また精密ネジの螺合によりホルダ内への塵埃の侵入が防止される構造が実現されるので車載用レンズとしての応用等も期待される。
【図面の簡単な説明】
【００３８】
【図１】従来のレンズ組立体の構成を示す図である。
【図２】本発明のレンズ組立体１と撮像素子が組み込まれた撮影装置の一例であるカメラ付き携帯電話機３の外観を示す図である。
【図３】本発明の一実施形態であるレンズ組立体の外観図である。
【図４】図２のレンズ組立体の分解図である。
【図５】図３の分解図中のレンズ枠と第１のホルダと第２のホルダとを左下方から見た側面図である。
【図６】図３のホルダ１０を左斜め上方から見た図と、その図を図中のＤ−Ｄ線で切断し切断した面を側方から見た図である。
【符号の説明】
【００３９】
１    レンズ組立体
１０    レンズホルダ
１０１    雌ネジ部
１０２    円筒内壁部
１１    レンズ枠
１１０    レンズ
１１１  雄ネジ部
１１２    円筒外壁部
１２    センサ
１２Ａ    ホルダ
１２Ｂ    カバーガラス
１２Ｃ    撮像素子
【図１】
2008216707.tif 000003
【図２】
2008216707.tif 000004
【図３】
2008216707.tif 000005
【図４】
2008216707.tif 000006
【図５】
2008216707.tif 000007
【図６】
2008216707.tif 000008